(57)【要約】【課題】機械室の開口を閉塞する機械室カバーの意匠にかかわらず、取付可能なフィルタ及び、当該フィルタを用いた低温貯蔵庫を提供する。【解決手段】本発明のフィルタ３５は、風向を決めるためのルーバ部３２と、塵埃を捕獲するためのメッシュ３３とを一体に備えたものであり、外気を取り込むための吸込口２９Ａを有する機械室カバー２９に当該フィルタ３５を吸込口２９Ａに対応させて取り付けることで、機械室カバー２９にルーバを設けることなく、フィルタ３５に設けられたルーバ部３２にて風向を定めることができると共に、メッシュ３３による塵埃捕獲を可能とする。【選択図】図５
2012030175.tif 000002
【特許請求の範囲】
【請求項１】
風向を決めるためのルーバ部と、塵埃を捕獲するためのメッシュとを一体に備えたことを特徴とするフィルタ。
【請求項２】
変形可能とするために可撓性を備えたことを特徴とする請求項１に記載のフィルタ。
【請求項３】
断熱壁から成る本体内に構成された貯蔵室と、前記断熱壁外に構成された機械室と、該機械室内に設置された凝縮器及び凝縮器用送風機と、機械室の開口を閉塞する機械室カバーとを備え、
該機械室カバーは外気を取り込むための吸込口を有し、前記フィルタが当該吸込口に対応して前記機械室カバーに取り付けられていることを特徴とする請求項１又は請求項２のフィルタを用いた低温貯蔵庫。
【請求項４】
前記貯蔵室は前面が開口しており、該開口を開閉自在に閉塞する扉と、該扉に交換可能に取り付けられて当該扉外面を覆うと共に、該扉から前方に突出する扉装飾カバーとを備え、
前記機械室カバーは前記機械室の開口より前記扉装飾カバーと略面一となるまで前方に突出しており、前記フィルタが取り付けられた状態で、該フィルタと前記凝縮器との間には所定の間隔が構成されることを特徴とする請求項３に記載の低温貯蔵庫。
【発明の詳細な説明】
【技術分野】
【０００１】
本発明は、フィルタの構造に関するものであり、特に、低温貯蔵庫の機械室開口を閉塞する機械室カバーに取り付けられるフィルタの構造に関する。
【背景技術】
【０００２】
従来より、低温貯蔵庫等には、圧縮機や凝縮器等の機器を配設した機械室が構成されており、当該機械室の一面、例えば前面には、機械室内を冷却する空気を吸い込む空気吸込口が形成されている。
【０００３】
例えば、特許文献１に示す如きショーケースでは、機械室の前側を閉塞するフロントパネルが設けられており、当該フロントパネルには、機械室内に配設された凝縮器と対応する位置に開口部が形成されている。そして、この開口部には、風向を決定するルーバが取り付けられている。更に、このフロントパネルに取り付けられたルーバに、メッシュの網体が着脱自在に取り付けられている。これにより、機械室内に配設された凝縮器用送風機が運転されると、フロントパネルに形成された開口部から外気が機械室内に吸い込まれ、凝縮器、圧縮機等を空冷した後、機械室後方から排気される。
【先行技術文献】
【特許文献】
【０００４】
【特許文献１】特開２００２−２２４５２０号公報
【発明の概要】
【発明が解決しようとする課題】
【０００５】
しかしながら、上述した如き構成では、フロントパネルの開口部を閉塞するルーバは、当該フロントパネルの設計に応じて構成されるものであり、装置自体の意匠変更を行う場合、当該ルーバの意匠も変更されることとなる。そのため、ルーバの意匠変更を行う度に、機械室内の冷却性能試験などを行う必要があった。
【０００６】
また、このフロントパネルに取り付けられるメッシュの網体は、所定の剛性を有する板状に構成されたものであるため、フロントパネルの形状が湾曲して形成された場合であっても、当該フロントパネルの形状に沿って取り付けることが困難であり、当該フロントパネルの開口部と間隔を存して取り付けられることが多かった。
【０００７】
本発明は従来の技術的課題を解決するためになされたものであり、機械室の開口を閉塞する機械室カバーの意匠にかかわらず、取付可能なフィルタ及び、当該フィルタを用いた低温貯蔵庫を提供する。
【課題を解決するための手段】
【０００８】
上記課題を解決するために、本発明のフィルタは、風向を決めるためのルーバ部と、塵埃を捕獲するためのメッシュとを一体に備えたことを特徴とする。
【０００９】
請求項２の発明は、上記発明において、変形可能とするために可撓性を備えたことを特徴とする。
【００１０】
請求項３の発明の低温貯蔵庫は、断熱壁から成る本体内に構成された貯蔵室と、断熱壁外に構成された機械室と、この機械室内に設置された凝縮器及び凝縮器用送風機と、機械室の開口を閉塞する機械室カバーとを備え、この機械室カバーは外気を取り込むための吸込口を有し、上記各発明のフィルタが当該吸込口に対応して機械室カバーに取り付けられていることを特徴とする。
【００１１】
請求項４の発明は、上記発明において、貯蔵室は前面が開口しており、この開口を開閉自在に閉塞する扉と、この扉に交換可能に取り付けられて当該扉外面を覆うと共に、この扉から前方に突出する扉装飾カバーとを備え、機械室カバーは機械室の開口より扉装飾カバーと略面一となるまで前方に突出しており、フィルタが取り付けられた状態で、このフィルタと凝縮器との間には所定の間隔が構成されることを特徴とする。
【発明の効果】
【００１２】
本発明のフィルタによれば、風向を決めるためのルーバ部と、塵埃を捕獲するためのメッシュとを一体に備えたことにより、筐体の吸込口等に当該フィルタを設けるのみで、該フィルタに設けられたルーバ部によって風向を定めることができると共に、メッシュによって空気中の塵埃を捕獲することが可能となる。
【００１３】
そのため、例えば、請求項３の発明の如く、断熱壁から成る本体内に構成された貯蔵室と、断熱壁外に構成された機械室と、この機械室内に設置された凝縮器及び凝縮器用送風機と、機械室の開口を閉塞する機械室カバーとを備え、この機械室カバーに外気を取り込むための吸込口を有した低温貯蔵庫に、当該フィルタが当該吸込口に対応して機械室カバーに取り付けることにより、機械室カバー側に格別にルーバを設ける必要がなくなり、当該機械室カバーの構造を簡素化することが可能となる。
【００１４】
また、風向を調整するルーバ部がフィルタに設けられていることにより、機械室カバーが異なるもの毎にルーバ部分の設計を不要とすることができる。従って、設計コストの低廉化を図ることができる。
【００１５】
更に、請求項２の発明によれば、上記発明に加えて、フィルタは、変形可能とするために可撓性を備えたことにより、取付箇所、例えば、機械室カバーの形状が湾曲形状とされている場合であっても、当該形状に応じてフィルタを変形させて取り付けることが可能となる。また、フィルタ自体が有する張力によって、該フィルタを機械室カバーの取付箇所に保持させることも可能となり、取付構造の簡素化を図ることができる。
【００１６】
また、請求項４の発明によれば、上記請求項３の発明において、貯蔵室は前面が開口しており、この開口を開閉自在に閉塞する扉と、この扉に交換可能に取り付けられて当該扉外面を覆うと共に、この扉から前方に突出する扉装飾カバーとを備え、機械室カバーは機械室の開口より扉装飾カバーと略面一となるまで前方に突出しており、フィルタが取り付けられた状態で、このフィルタと凝縮器との間には所定の間隔が構成されることにより、フィルタと凝縮器との間に所定の風圧調整空間を形成することが可能となる。
【００１７】
そのため、機械室カバーに形成される吸込口の位置と、凝縮器の配設位置とが偏位している場合であっても、吸込口から吸い込んだ外気と機械室内の凝縮器とを効率的に熱交換させることが可能となる。
【図面の簡単な説明】
【００１８】
【図１】本発明を適用した一実施例のショーケースの正面図である。
【図２】図１の状態から装飾カバーを取り外した状態のショーケースの斜視図である。
【図３】図１のショーケースの縦断側面図である。
【図４】他の形状の扉装飾カバーに交換したショーケースの斜視図である。
【図５】フィルタの斜視図である。
【図６】フィルタの正面上方向からの斜視図である。
【図７】フィルタの側面図である。
【図８】フィルタの平面図である。
【図９】撓ませた状態のフィルタの斜視図である。
【図１０】図９の平面図である。
【発明を実施するための形態】
【００１９】
以下、本発明の実施の形態について、詳細に説明する。実施例の低温貯蔵庫Ｓは、本発明のフィルタ３５を備えた飲料や食品等の商品を冷却しながら陳列販売するための所謂低温ショーケースであり、本体１を構成する縦長矩形状の断熱箱体（断熱壁）２内に前面が開口した陳列室３が構成されている。この陳列室３の前面開口は、例えば向かって右側（一側）上下を中心として回動自在に本体１に枢支された扉４により開閉自在に閉塞されている。
【００２０】
この扉４は周囲の金属製扉枠（サッシュ）６と、この扉枠６の内方に嵌め込まれた複層透明ガラス板７とから成り、このガラス板７を通して外部より陳列室３内部が透視可能とされている。また、扉４の向かって左側（非枢支側）の扉枠６には、扉４を開閉するための把手５が設けられている。
【００２１】
断熱箱体２の下側（陳列室３の外側。断熱箱体２外）である本体１の下部には機械室８が構成されており、この機械室８内に冷却装置Ｒの冷媒回路を構成する図示しない圧縮機や凝縮器９、凝縮器用送風機１０等が設置されている。尚、機械室８は前面が開口している。
【００２２】
一方、陳列室３内には、商品陳列用の棚１１が複数段架設されている。また、断熱箱体２内の背面及び底面には、間隔を存して仕切板１２及び１３が設けられており、各仕切板１２及び１３と断熱箱体２との間に、相互に連通した背面ダクト１４及び底面ダクト１６が構成され、陳列室３はこれら仕切板１２及び１３の内側に構成されたかたちとされている。
【００２３】
また、背面の仕切板１２の上端と断熱箱体２間は背面ダクト１４に連通した冷気吹出口１７、底面の仕切板１３の前端と断熱箱体２間は底面ダクト１６に連通した冷気吸込口１８とされている。断熱箱体２の底壁には相互に前後に位置する連通孔１９、２１が貫通形成されており、連通孔１９と２１間において仕切板１３から垂下する隔壁１３Ａにより、底面ダクト１６は前後に仕切られている。
【００２４】
更に、断熱箱体２の底壁には、連通孔１９、２１に対応して断熱性の冷却箱２２が外側から取り付けられ、機械室８内に位置している。この冷却箱２２内には冷却装置Ｒの冷媒回路を構成する冷却器２３と冷気循環用送風機２４が収納されており、冷却器２３によって冷却箱２２内は連通孔１９側と連通孔２１側とに区画されている。これにより、陳列室３−冷気吸込口１８−底面ダクト１６−連通孔１９−冷気循環用送風機２４（冷却箱２２内）−冷却器２３（冷却箱２２内）−連通孔２１−底面ダクト１６−背面ダクト１４−冷気吹出口１７−陳列室３と渡る一連の冷気通路が構成されている。
【００２５】
そして、実施例では、扉４の外面に硬質合成樹脂からなる扉装飾カバー３１が取り付けられている。扉装飾カバー３１は、扉４の外面を覆うように扉枠６に交換可能（ネジ止め）に取り付けられている。この場合、扉装飾カバー３１は扉枠６の側面（外面）と当接し、当該扉枠６を前方から間隔を存して隠蔽する透視不能な枠装飾部３１Ａと、その内方でガラス板７の外面を覆うと共に、当該ガラス板７の前方に間隔を存して位置する透視可能なガラス装飾部３１Ｂとから成り、当該枠装飾部３１Ａとガラス装飾部３１Ｂとにより扉４の外面全体を覆う。
【００２６】
そして、ガラス装飾部３１Ｂは、中央が前方に突出して両端部が後退した湾曲形状とされ、前方から陳列室３内を見た場合に商品陳列がより立体的に見えるように配慮されている。そのため、当該扉装飾カバー３１は、全体として扉４から前方に所定寸法、突出する構成とされる。
【００２７】
このようにショーケースＳの扉４に扉装飾カバー３１を交換可能に取り付けているので、例えば図４の他の形状の扉装飾カバー３１を取り付けた場合のように、設置場所や使用目的、陳列商品に応じてそれらを交換することで、ショーケースＳの意匠を容易に変更することができるようになり、販売効果の著しい改善を図ることができるようになる。
【００２８】
そして、上記扉装飾カバー３１の下方に位置して機械室８の前面開口を開閉可能に閉塞する機械室カバー２９が本体１に着脱自在（交換可能）に取り付けられている。本実施例では、当該機械室カバー２９は、機械室８の開口よりも上方に位置する扉装飾カバー３１の前面と略面一となるまで前方に突出して形成されている。
【００２９】
機械室カバー２９は、外気を機械室８内に取り込むための吸込口２９Ａが形成され、この吸込口２９Ａに対応して機械室カバー２９には、フィルタ３５が着脱可能に取り付けられている。尚、図２の３４は凝縮器９の前側に対応した開口を有するグリル板であり、凝縮器用送風機１０の運転により吸込口２９Ａからフィルタ３５を経て吸引された外気を、効率良く凝縮器９に通風させる機能を奏する。
【００３０】
ここで、図５乃至図１０を参照して本願発明にかかるフィルタ３５について詳述する。図５はフィルタ３５の斜視図、図６はフィルタ３５の正面上方向からの斜視図、図７はフィルタ３５の側面図、図８はフィルタ３５の平面図、図９は撓ませた状態のフィルタ３５の斜視図、図１０は図９の平面図をそれぞれ示している。
【００３１】
フィルタ３５は、所定間隔を存して設けられる複数のルーバ部３２と、ルーバ部３２の一端側に設けられるメッシュ３３とが複数の連結桟３６によって一体に構成されている。これらルーバ部３２、メッシュ３３、連結桟３６は、何れも所定の可撓性を有する硬質合成樹脂にて構成される。
【００３２】
ルーバ部３２は、当該フィルタ３５を通過する外気の風向を決めるものであり、何れも所定間隔を存して、一方向に、この場合、上下方向に並設されている。本実施例では、本体１の下側に位置する機械室カバー２９に取り付けられるものであるため、前端が後端よりも低く傾斜した角度にて設けられている。
【００３３】
メッシュ３３は、当該フィルタ３５を通過する外気に含まれた塵埃を捕獲するものであり、各ルーバ部３２の後端面に沿って設けられる。
【００３４】
この状態で、各ルーバ部３２と略直交する方向に延在する、この場合上下に延在する複数の連結桟３６によって、溶着等によりこれらルーバ部３２、メッシュ３３が一体に成形される。
【００３５】
係る構成のフィルタ３５は、何れも所定の可撓性を有する材料にて構成されたものであるため、撓ませることで変形可能とされる。
【００３６】
以上の構成により、フィルタ３５を機械室カバー２９に取り付ける際には、機械室カバー２９を本体１から取り外し、当該機械室カバー２９の後面側から、フィルタ３５を取り付ける。このとき、ルーバ部３２が機械室カバー２９の吸込口２９Ａから前方に臨むように取り付ける。
【００３７】
この際、機械室カバー２９の後面の吸込口２９Ａ縁部にフィルタ保持部を設けている場合、当該フィルタ３５をその可撓性により撓ませ、吸込口２９Ａ縁部に宛がい、各フィルタ保持部にその張力にて保持させても良い。
【００３８】
これにより、機械室カバー２９の吸込口２９Ａに当該フィルタ３５を設けるのみで、該フィルタ３５に設けられたルーバ部３２によって機械室８内に吸い込む外気の風向を定めることができると共に、メッシュ３３によって当該外気に含まれる塵埃を捕獲することが可能となる。
【００３９】
そのため、着脱自在に取り付けられるフィルタ３５を共用することで、機械室カバー２９側に格別にルーバを設ける必要がなくなり、当該機械室カバー２９の構造を簡素化することが可能となる。従って、図４に示すように、機械室カバー２９の意匠を変更する毎に、ルーバ部分の設計を不要とすることができ、着脱自在とされるフィルタ３５に設けられるルーバ部３２にて風向を決めることが可能となり設計コストの低廉化、更には、冷却試験の簡素化を図ることができる。
【００４０】
当該フィルタ３５は、機械室カバー２９の吸込口２９Ａから前方に臨む構成とされているが、塵埃を捕獲するメッシュ３３の前方に所定角度にて傾斜したルーバ部３２が形成されているため、メッシュ３３に捕獲された塵埃等が前方から見えにくい構成とでき、外観上不衛生な印象を与えない。しかし、大量の塵埃がメッシュ３３に付着した場合には、ルーバ部３２越しに視認することも可能であるため、清掃を促進させることも可能となる。
【００４１】
また、フィルタ３５は、変形可能とするために可撓性を備えているため、取付箇所となる機械室カバー２９の形状が断面湾曲形状とされている場合であっても、図９や図１０に示すように当該形状に応じてフィルタ３５を変形させて取り付けることが可能となる。
【００４２】
更に、上述したように当該フィルタ３５の可撓性を用い、撓ませたフィルタ３５の張力によって、該フィルタ３５を機械室カバー２９のフィルタ保持部に保持させることも可能となり、取付構造の簡素化を図ることができる。
【００４３】
特に、本実施例における低温貯蔵庫Ｓは、扉４から前方に突出する扉装飾カバー３１を備え、機械室カバー２９は機械室８の開口より扉装飾カバーと略面一となるまで前方に突出して構成されているため、フィルタ３５が取り付けられた状態で、このフィルタ３５と機械室８内に配設される凝縮器９との間には図３に示すように所定の間隔４０が構成される。
【００４４】
これにより、フィルタ３５と凝縮器９との間に所定の風圧調整空間を形成することが可能となる。従って、機械室カバー２９に形成される吸込口２９Ａの位置と、凝縮器９の配設位置とが偏位している場合であっても、吸込口２９Ａから吸い込んだ外気と機械室８内の凝縮器９とを効率的に熱交換させることが可能となる。
【符号の説明】
【００４５】
Ｓ    低温貯蔵庫
Ｒ    冷却装置
１    本体
２    断熱箱体（断熱壁）
３    陳列室
４    扉
８    機械室
９    凝縮器
１０    凝縮器用送風機
２３    冷却器
２９    機械室カバー
２９Ａ  吸込口
３１    扉装飾カバー
３２    ルーバ部
３３    メッシュ
３４    グリル板
３５    フィルタ
３６    連結桟
【図１】
2012030175.tif 000003
【図２】
2012030175.tif 000004
【図３】
2012030175.tif 000005
【図４】
2012030175.tif 000006
【図５】
2012030175.tif 000007
【図６】
2012030175.tif 000008
【図７】
2012030175.tif 000009
【図８】
2012030175.tif 000010
【図９】
2012030175.tif 000011
【図１０】
2012030175.tif 000012